(57)【要約】【課題】汚物処理乃至払拭に用いられる袋であり、使用前に袋を裏返す必要もなく、商品として袋の概ね全面において厚さが一様であり、多数枚重ねても一部が嵩だけにならず、未使用袋を多数枚重ねたとき包装しやすく、使用後においては、汚れた払拭シートと袋部を分離するのが容易であり、これらが材質として分別廃棄するとき別々に廃棄できるようにする。【解決手段】袋１０の少なくとも片外面に袋１０と概ね同大の払拭シート１１が剥離可能に接着乃至付着させてあることを特徴とする払拭シート付袋とする。【選択図】  図１
2004248510.tif 000002
【特許請求の範囲】
【請求項１】
袋の少なくとも片外面に袋と概ね同大の払拭シートが剥離可能に接着乃至付着させてあることを特徴とする払拭シート付袋。
【請求項２】
前記袋の材質としては軟質熱可塑性合成樹脂フイルム、紙、防水加工紙、生分解乃至水解性フイルムのうちの少なくとも一種よりなることを特徴とする請求項１記載の払拭シート付袋。
【請求項３】
前記払拭シートの材質としては、紙、パルプ、古紙再生パルプ、生分解乃至水解性フイルムシート、布乃至編布、天然乃至化学繊維よりなる不織布、古布乃至古編布由来の不織布、合成樹脂製の連通気泡スポンジシートのうちの少なくとも一種よりなるものであることを特徴とする請求項１又は２記載の払拭シート付袋。
【請求項４】
前記袋と払拭シートの剥離可能に接着乃至付着してあるとは、少なくとも袋の両側縁部において、条状乃至不連続条状であることを特徴とする請求項１、２又は３記載の払拭シート付袋。
【請求項５】
前記袋の形態としては平袋、熱底シール袋、底シールガゼット乃至ギャザ袋、両側熱シール袋、中段横ギャザー袋のうちの少なくとも一種の形態としてあることを特徴とする請求項１、２、３又は４記載の払拭シート付袋。
【請求項６】
前記袋と払拭シートの接着乃至付着とは袋が熱可塑性合成樹脂フイルム製であり、かつ底シール乃至両側シール袋においては、これらの袋を製造するときの底シール乃至両側シール部の成形時に、加熱により前記底シール乃至両側シール部並びに他の袋の口縁両端近傍の位置が溶着してあることを特徴とする請求項５記載の払拭シート付袋。
【請求項７】
前記袋と払拭シートの接着乃至付着とは、ホットメルト、感圧接着剤若しくは両面粘着テープの一種であって、袋の少なくとも両側添いに、条状乃至不連続条状に接着してあることを特徴とする請求項６記載の払拭シート付袋。
【請求項８】
前記袋と払拭シートには、親指位置と他の指との間に切目と、この両側及び切目の終端を囲い袋の表示フイルム乃至布地が溶着してある溶着部が設けてあることを特徴とする請求項７記載の払拭シート付袋。
【発明の詳細な説明】
【０００１】
【発明の属する技術分野】
この発明は犬の糞、その他のペットの糞、介護汚物の処理、その他の医療作業、細菌培養作業、食品取り扱い清掃作業などの使用する払拭シート付袋に関する。
【０００２】
【従来の技術】
従来この種の袋のうち、犬などのペットの糞を処理する袋として、下記の特許文献１に見られるように、軟質熱可塑性合成樹脂フイルム製袋の内側に紙袋を重ねたもの、或いは特許文献２に示すように前記袋の口縁部に堅い紙板製ピンセットを取り付けたものなどが知られている。
この発明は前記の特許文献１記載のように、紙袋が軟質熱可塑性合成樹脂フイルム製袋の内側に設けてあるものに於いては、使用する場合に前もって袋を裏返しにし、紙袋を外側にして使用しないと、汚物と紙を袋から分離して、汚物を紙袋と共に水洗便所などに捨てられない。従って使い勝手が悪い。
また紙袋を予め軟質熱可塑性合成樹脂フイルム製袋の内側に挿入することは手作業であれば手間を要し、機械的に挿入するとしても、装置が複雑となり、袋のコストを押し上げる。
また亦特許文献２記載のものにおいては、堅い紙製の挟み具乃至ピンセットを用いたものであるが、挟み具乃至ピンセットの安定性が悪く。袋を多数重ねたとき、この挟み具乃至ピンセット部分が嵩高になり、多数枚を重ねて包装する箱が大きくなるし、紙板製の挟み具乃至ピンセット部分は水に溶け難く、これを汚物と共に水洗便所に流せない。
【特許文献１】登録実用新案第３０６８１５２号公報
【特許文献２】登録実用新案第３０３１８３６号公報
【０００３】
【発明が解決しようとする課題】
この発明は前述の技術を更に発展させたものであり、ペットの糞処理に限定されず、更に広い使用目的に適合し、使用前においては、それぞれ扁平で多数枚重ねての包装、保管ができ、使用中においては作業者の手を袋にて保護し、払拭シートは紊りに袋と分離せず、使用後においては払拭シートと袋の材質が異なるときには、これらは容易に分離でき、廃棄物として材料別の分別が容易なものを市場に提供することである。
【０００４】
前記の課題を達成するために、この発明は袋の少なくとも片外面に袋と概ね同大の払拭シートが剥離可能に接着乃至付着させてあることを特徴とする。
また前記の課題を達成するために、この発明は前記袋の材質としては軟質熱可塑性合成樹脂フイルム、紙、防水加工紙、生分解乃至水解性フイルムのうちの少なくとも一種よりなることを特徴とする。
【０００５】
また前記の課題を達成するために、この発明は前記払拭シートの材質としては、紙、パルプ、古紙再生パルプ、生分解乃至水解性フイルムシート、布乃至編布、天然乃至化学繊維よりなる不織布、古布乃至古編布由来の不織布、連通気泡スポンジシートのうちの少なくとも一種よりなるものであることを特徴とする。
また前記の課題を達成するために、この発明は前記袋と払拭シートの剥離可能に接着乃至付着してあるとは、少なくとも袋の両側縁部において、条状乃至不連続条状であることを特徴とする。
【０００６】
また前記の課題を達成するために、この発明は前記袋の形態としては平袋、熱底シール袋、底シールガゼット乃至ギャザ袋、両側熱シール袋、中段横ギャザー袋のうちの少なくとも一種の形態としてある。
また前記の課題を達成するために、この発明は前記袋と払拭シートの接着乃至付着とは袋が熱可塑性合成樹脂フイルム製であり、かつ底シール乃至両側シール袋においては、これらの袋を製造するときの底シール乃至両側シール部の成形時に、加熱により前記底シール乃至両側シール部並びに他の袋の口縁両端近傍の位置が溶着してあることを特徴とする。
【０００７】
また前記の課題を達成するために、この発明は前記袋と払拭シートの接着乃至付着とは、ホットメルト、感圧接着剤若しくは両面粘着テープの一種であって、袋の少なくとも両側添いに、条状乃至不連続条状に接着してあることを特徴とする。
また前記の課題を達成するために、この発明は前記袋と払拭シートには、親指位置と他の指との間に切目と、この両側及び切目の終端を用い袋の表示フイルム乃至布地が溶着してある溶着部が設けてあることを特徴とする。
【０００８】
【発明の作用】
前述の通りに構成する請求項１乃至８記載の発明においては袋の未使用時には、扁平で、平坦な全面積において概ね厚さも等しく、２０枚乃至５０枚重ねて紙箱や外袋に包装しても、安定性がよく商品としての保管流通に便利である。また使用に際しては払拭シート側が掌側にして袋の中に片手を入れ、その状態で汚物処理や、その他の掃除を払拭シートによって行う。
また食品などの取り扱いにおいては、衛生的である。
【０００９】
散歩中のペットの糞処理の場合は汚物を掴み取った後乃至拭き取った後において、そのまま袋を裏返して汚れた払拭シート及び汚物を包み、袋の口を適当なゴム紐などで縛れば不快感はない。使用後においては、袋を裏返すことによって、汚物がこぼれて作業者の手や衣服を、若しくは汚物がこぼす事がない。
払拭シート中に汚物があり、これを便所などに流す場合は、袋の口を広げ、これを便所などに流す。払拭作業などにより汚れた払拭シートは袋と廃棄物分別として、同一区分の場合はその侭廃棄し、払拭シートとして別区分の材料乃至材質の場合にはこれらを剥離して、それぞれ該当する廃棄物として処分する。
この場合袋と払拭シートとは容易に剥離可能な程度に接着乃至付着したものであるから、これらは容易に剥離できる。
【００１０】
請求項２記載の発明のうち、生分解性乃至水解性フイルム以外の素材においては、前記作業において、払拭シートを水に濡らしても袋が破れるおそれはなく、作業水や洗剤液を使用することが可能である。
袋の材質が生分解性乃至水解性材よりなる場合においては、乾燥状態で使用する作業に適する。
【００１１】
請求項３記載の発明としては、前述の通りに構成するから払拭シートは前述の夫々の材質若しくはこれらの混合体、積層体よりなるものであるから、乾燥したままの乾拭き、例えば自動車のワックス掛け、家具の乾拭きなどの作業、汚物処理作業に適し、また払拭シートが不織布、織布など丈夫な材料の場合においては、払拭シートを湿潤させてからの洗浄作業に使用可能である。
また、汚物を処理する場合も、前記払拭シートを介して処理するから不快感も減殺される。また作業者の手が汚物に接触することがない。
袋も払拭シートも生分解乃至水解性の場合には、そのまま生ゴミ乃至堆肥として処分できる。
【００１２】
請求項４記載の発明においては、接着乃至付着面積が極く僅かであり、前述の手段により、払拭シートと袋とが結合してあるものであるから、両者は前述の作業中には剥離せず、使用後廃棄物として分別する場合に容易に剥離して別々に廃棄できる。
また発明のものの製造が容易で廉価に製造できる。
【００１３】
請求項５記載の発明においては、前述の通りの構成であるから、殊に、ガゼット乃至ギャザ袋においては、手を挿入した場合に袋に手が挿入し易く、手が動かし易く袋に無理な力が作用せず、袋が破れるおそれは殆どない。また袋を裏返ししたときの汚物収納体積が大きくなる。
【００１４】
請求項６記載の発明のものにおいては、前述の通りの構成であるから、払拭シートと袋との溶着について、特に別個の接着剤や、両面粘着テープを用いておらず、袋自体表面の溶融により払拭シートと溶着させたものであるから、袋を製造するときに同時に払拭シートが溶着でき製造し易い。
【００１５】
請求項７記載の発明においては、前述のように構成しているから袋自体が熱可塑性合成樹脂製の袋でなくとも払拭シートとが付着されており、袋の材質の選択技が広くなり、設計の自由度が高い作用を為す。
請求項８記載の発明においては、前述の通りに構成しているから易切断切目を分離すれば、親指と他の指とが分離した手袋様となり、払拭作業や、物を掴むときの作業性が単なる袋よりすこぶるよい。
【００１６】
【実施の形態】
この発明を図示の各実施の形態について説明する。図２、４、５、７、１０及び図１２においては説明の都合上厚み方向の寸法を極端に誇張して記載してある。
また袋１０と払拭シート１１との厚みの比も、図のものは模式的に表現したもので、図示の厚み比に限定はなく、通常は払拭シート１１の方が袋１０より厚手となる。
実施の形態１
請求項１乃至４記載の発明を含む実施の形態である。図１及び図２に図示したものであって、符号１０は熱可塑性合成樹脂フイルム製袋であり、片手が挿入可能な幅と深さとしてあり、例えば幅１５乃至２０ｃｍ、深さ１７乃至２５ｃｍとしてあり、フイルムの厚さは通常１５ミクロン乃至３０ミクロンの用いるが、これら数値自体は厳密な意味を持たない。
前記袋１０自体は図示の平袋、中央部にギャザ１８（ガゼット様１９）が袋の片面に設けてある場合もある（図３乃至図５参照）。
この袋の前記ギャザ１８のない方の片外面には払拭シート１１と概ね同大の払拭シートの１種として紙が付着してある。この払拭シート１１はトイレットペーパー乃至ティッシュペーパー程度の堅さ、厚み、及び水溶性を有するものが用いてある。
前述の払拭シート１１の種類はあくまでも例示であって、前記の使用目的が達成されるものであれば、これら材質に限定されるものではない。
例えば、紙の外、パルプ、古紙再製パルプ、でん粉、でん粉と木粉を混合してシート状にしたもの、織布、編布、不織布若しくはこれらの再生不織布、生分解乃至水解性シート、連通気泡型のスポンジ様シートであってもこの出願の発明の払拭シートに含まれる。
袋１０と払拭シート１１の付着部分は底シール型の袋１０であっては、その底シール部１２と口縁１３の両側隅角部にポイント溶着部１４が形成してある。
前記ポイント溶着部１４は口縁１３の隅角部より底方向に点線状に列設してある場合もある。図１の例示のものは不連続条状の一例としてポイント溶着部１４がそれぞれ４個ずつ列設してある。
【００１７】
袋１０と払拭シート１１の溶着は袋１０を製袋するときに、袋素材帯としてインフレーション成形のチューブを用い、この下側に紙帯を重ねチューブ側より底シール用のヒートシーラを用い、これらを圧着し、底シール部１２を形成すると同時に、その底シール部１２の外側に払拭シート１１を融着させる。つまり請求項６記載の発明の実施の形態となる。ポイント溶着部１４に於いても、同様に融着し、底シール部１２とこれに尤も近い溶着部１４、即ち底シール部１２と次の袋のポイント溶着部１４となる間の袋素材帯たるチューブを横断方向に切断してこの発明の袋が形成してある（図１の符号Ｘ参照）。
前述の袋１０と払拭シート１１の溶着においては、必要に応じて払拭シート１１側のみから加熱する場合、若しくは、袋１０側と払拭シート１１側の双方から加熱溶着し、成形したものでも、この実施の形態に含まれる。
【００１８】
実施の形態２
請求項５記載の発明の実施の形態であり、図６及び図７に示すものである。袋１０自体は実施の形態１と同様に底シール型の袋１０であり、払拭シート１１も実施の形態１と同じであり、この払拭シート１１の材質も実施の形態１と同じである。この払拭シート１１はホットメルトなどの接着剤１６を袋１０の片面に条状に数本少なくとも袋１０の両側縁１５沿い袋の深さ方向に塗布し、この接着剤によって払拭シート１１が袋に接着して条状接着部１７としてある。袋の底は底シール部１２においては実施の形態１と同様に溶着してある。
またこの塗布部分はそれぞれ連続した条状であっても、不連続な点線乃至破線状の塗布であってもこの発明としては同一である。
この形態においては、接着剤は袋の外面と払拭シート１１を接着するのであるから袋１０と払拭シート１１の接着により袋１０の口縁１３の幅が狭くなることなく、袋１０の全幅が開くもので、袋１０を裏返す作業が容易にできる。
前記の例においては、接着剤としてホットメルト型接着剤１６を用いたが、感圧接着剤でもその他の接着剤若しくは両面粘着テープであってもこの発明としては同一である。
【００１９】
実施の形態３
前記実施の形態１及び２において、払拭シート１１には予め、消毒剤、洗剤の少なくとも一種が含浸させてある。消毒剤が揮発性の場合は、これら汚物処理用携帯袋を商品として１０枚，２０枚収納する袋はチャックの付いた袋、若しくは気密性のある小さな容器に収納して、商品として流通させ、購入者はその侭保存し、一枚ずつ引き出して使用する。
【００２０】
実施の形態４
図９に示すものであり、熱可塑性合成樹脂製フイルム帯を半折し、この袋素材帯を横断方向に袋幅ピッチ毎に広幅若しくは二条接近して熱溶着し、この両側シール部２０の中央部Ｘを切断した両サイドシール型の袋であり、袋１０の底２４は両側面のフイルムが連続した状態となっている。前述の両側シール部２０は袋素材帯を溶着溶断時に形成したものでも、この発明としては何ら変わるところがない。
【００２１】
１１は前記袋１０の両側シール部２０において、袋１０と結合してある払拭シートである。
前述の両サイドシール型の袋１０としては、その深さの中段部分に幅方向のガゼット１９ａが箱ギャザ型に上下一対対称的に設けてある。
このカゼット１９ａの代わりに、図５に示したギャザ１８と同様の同一方向に向いたギャザ１８であってもこの実施の形態に含まれる。
【００２２】
前記の払拭シート１１は袋１０のギャザ１８又はガゼット１９ａのない側の袋１０の片面に付着してある。
払拭シート１１の材質及び厚みとしては、他の実施の形態同様に必要に応じて目的に合うものを選択して、溶着乃至付着させてある。
【００２３】
実施の形態１乃至４の使用方法。
前述のすべての実施の形態のものを使用するには、先ず袋１０の中に片手を挿入する（図８のａの状態参照）。このとき払拭シート１１が付着してある側を掌側とする。次に払拭シート１１及び袋１０を介して、ペット、介護汚物などを掴み（図８のｂの状態参照）、他方の手で袋１０を裏返すと汚物及び汚物で汚れた払拭シート１１は袋の中に収納される（図８のｃ及びｄの状態参照）。
犬の散歩途中に於ける糞などの汚物３０の処理の場合は袋１０から汚物３０などがこぼれないように適当な緊縛手段例えばゴム輪などによって袋の口縁１３を閉じる。
【００２４】
汚物を水洗便所に流す場合は前記汚物をこれに流した後、内側に付着している払拭シート１１を袋１０とその溶着若しくは付着部から剥離させて、袋１０は可燃物ゴミとして別個に処理する。
払拭シート１１の部分で対象物を払拭する場合においては、先ず片手を袋１０の中に挿入するまでは、他の使用方法と同じであるが、その後払拭シート１１部分に於いて対象物を払拭し、汚れた払拭シート１１は袋１０から剥離し、若しくは剥離することなく、可燃物ゴミとして捨てる。
【００２５】
実施の形態５
図１３及び１４に記載のものであり、請求項４乃至８記載の発明の実施の形態である。
この実施の形態のものにおいては、袋１０はサイドシール型の袋としてあり、払拭シート１１としては古布、古編布の再生不織布であって、やや厚手のものを両側シール部２０部と、切目２１の両側縁の指シール部２２部分において、袋１０と払拭シート１１とは溶着乃至接着されている。
切目２１の終端部は切目２１が不必要な部分まで伸びないよう円形の孔２３が袋１０と払拭シート１１に一括穿設してあり、これらの周囲まで、前記指シール部２２は連ねてある。また切目２１は払拭シート１１の材質が布や、不織布など丈夫な材質の場合においては完全に切断されていることが好ましい。
【００２６】
実施の形態５の作用
この実施の形態においては、このものを使用する前における状態は他の実施の形態と同一である。
使用するときは、使用者の掌側に払拭シート１１がなるように片手を挿入し、切目２１を境にして、幅の狭い指袋部２５に親指を、他の幅の広い指袋部２６に他の４本の指を挿入する。
【００２７】
前述の手の挿入と相前後して、切目２１を完全に分離する。この状態においては特に親指が他の指と独立して動かせるから、物を掴む作業に適する。また払拭シート１１は厚手であるから、自動車のワックス塗布及びパフ作業に適する。また払拭シート１１に水若しくは水と洗剤を予め含浸させて、洗浄すべき物品乃至対象物の部分を払拭し、汚れを落とす。
この場合対象物を掴む必要のあるときは親指が他の指と分離して指袋部２５に挿入されており、ガゼット１９ａが設けてあるから、掴み作業を行い易い。
その他実施の形態１乃至５において接着剤、ホットメルト材若しくは感圧接着剤などを用いたものにおいては袋と払拭シートの合せ面全面、若しくは一部にこれらが条状，若しくは細かい点状に分布塗布したものであってもこの実施の形態に含まれる。
【００２８】
【発明の効果】
前述のように構成し作用をなす、前記すべての請求項記載の発明においては、この発明のものを使用するとき、袋の口より掌側に払拭シートが位置するように片手を挿入すれば、手は袋で保護され、払拭作業は払拭シートによって行へ、作業後において、この発明のものを廃棄する場合に、袋と払拭シートが分別廃棄するとき別個の区分であっても、袋と払拭シートは容易に剥離して分別でき、すこぶる便利である。
またペットの散歩などのとき携行するときは糞など払拭シート側で掴み取り、後袋を裏返せば汚物と汚れた払拭シートは袋の内側になり、適当に袋の口を閉じれば、汚物はおぼれず、汚物で手や衣服を汚さず不快感はなく散歩を継続できる。
【００２９】
請求項２記載の発明においては、袋として耐水性、透水性の袋たる軟質熱可塑性合成樹脂フイルム、油紙を用いたものにおいては、水が透過せず、濡れたもの、或いは水若しくは薬品を用いる作業であっても、手が汚れたり薬品などから手を守る効果がある。
中でも軟質熱可塑性合成樹脂フイルム製の場合は袋を裏返すときにも、破れるおそれがない。
生分解乃至水解性の場合は、使用後の袋をそのまま便所に捨てたり、堆肥原料としても使用でき、廃棄処分の自由度が高い効果を奏する。
【００３０】
請求項３記載の発明においては、払拭シートは吸水性にも優れているから、水分を含むものの取り扱いに優れており、紙以外の払拭シートにおいては、丈夫であり、水仕事、家具や、自動車など各種払拭仕事、パフ磨作業、食品取り扱い、医療乃至介護仕事、細菌培養作業、軽放射能汚染物取り扱いなどに最適である。
【００３１】
請求項４記載の発明においては、袋と払拭シートが剥離可能に接着乃至付着させてあるから、使用後これらの分離が容易であり、分別処理が容易となる。
請求項５記載の発明においては、袋の形状乃至機能について特に限定はなく、平袋の場合は最も単純化であり、コストも軽減となる。他のギャザ乃至ガゼット型の袋を用いたものにおいては、袋の中で手が自由に動かせ、また袋に無理な力が作用せず作業中に袋が破れるおそれは格段に少ない効果を奏する。
【００３２】
請求項６記載の発明においては、袋のシール部に払拭シートを融着させたものであるから、別途接着剤、両面粘着テープなどの不要であり、価格が低廉となる。
請求項７記載のものにおいては、接着手段として、ホットメルト、感圧接着剤、両面粘着テープのうちの１種であるから、袋と払拭シートが相互に熱溶着できない材質であっても採用され、設計の自由度が極めて高い効果を奏する。
請求項８記載のものにおいては、親指と他の指が別々の指部分袋に挿入でき、これを嵌めこの作業がし易く、特にものを掴み易い効果を奏する。
【図面の簡単な説明】
【図１】実施の形態１の平面図である。
【図２】図１のＹーＹ線切断一部省略拡大断面図である。
【図３】袋の片面にガゼットのある実施の形態の平面図である。
【図４】図３の口縁部の端面図である。
【図５】袋の片面にギャザのある実施の形態の口縁部の端面図である。
【図６】実施の形態２であって袋と払拭シートが接着剤で付着してある平面図である。
【図７】図６の口縁部の端面図である。
【図８】使用状態の一例を示す説明図である。
【図９】実施の形態４であって両側シール型の袋を用いた平面図である。
【図１０】図９のＱーＱ線切断断面図である。
【図１１】両側シール型の袋であり、中段部にガゼットのある実施の形態の平面図である。
【図１２】図１１のＲーＲ線切断面図である。
【図１３】実施の形態５の平面図である。
【図１４】図１３のＴーＴ線切断断面図である。
【符号の説明】
１０  袋
１１  払拭シート
１２  底シール部
１３  口縁部
１４  ポイント溶着部
２０  両側シール部
２１  切目
２２  指シール部
２５  狭い指袋部
２６  広い指袋部
２７  中央部
３０  汚物
【図１】
2004248510.tif 000003
【図２】
2004248510.tif 000004
【図３】
2004248510.tif 000005
【図４】
2004248510.tif 000006
【図５】
2004248510.tif 000007
【図６】
2004248510.tif 000008
【図７】
2004248510.tif 000009
【図８】
2004248510.tif 000010
【図９】
2004248510.tif 000011
【図１０】
2004248510.tif 000012
【図１１】
2004248510.tif 000013
【図１２】
2004248510.tif 000014
【図１３】
2004248510.tif 000015
【図１４】
2004248510.tif 000016